【手続補正書】
【提出日】平成19年3月16日(2007.3.16)
【手続補正１】
【補正対象書類名】明細書
【補正対象項目名】特許請求の範囲
【補正方法】変更
【補正の内容】
【特許請求の範囲】
【請求項１】  以下すなわち
・分割さるべき光（ＬW）の入射面（１２）と、
・再合成された光（Ａ，Ｂ）の少なくとも１つの出射面（４９）と、
・スペクトル選択的分割・再合成装置（１５，１６）とを備えたスペクトル光分割・再合成装置において、
前記スペクトル選択的分割・再合成装置（１５，１６）は偏光選択的分割・再合成装置（１５）を含み、該装置において１つのスペクトル領域（Δλ3）の光がその他のスペクトル領域（Δλ1，Δλ2）の光から分離されまたは前記スペクトル領域（Δλ3）の光が前記のその他のスペクトル領域（Δλ1，Δλ2）の光と再合成されることを特徴とする装置。
【請求項２】  前記入射面（１２）には先ず前記偏光選択的分割・再合成装置（１，１５）が後置され、該装置にはさらに少なくとも１つのスペクトル選択的分割・再合成装置（５，１６）が後置されていることを特徴とする請求項１に記載の装置。
【請求項３】  前記偏光選択的分割・再合成装置（１，１５）にはスペクトル選択的偏光回転子（１０）が前置されていることを特徴とする請求項１または２に記載の装置。
【請求項４】  前記スペクトル選択的偏光回転子（１０）には広帯域偏光子が前置されていることを特徴とする請求項３に記載の装置。
【請求項５】  前記偏光選択的分割・再合成装置（１，１５）の透過方向（Ｉ）に後置されてカラートリマ（２６）が設けられ、該トリマは好ましくは偏光依存的なスペクトル選択的ビームスプリッタとして形成されていることを特徴とする請求項１から４のいずれかに記載の装置。
【請求項６】  前記カラートリマ（２６）と前記偏光選択的分割・再合成装置（１，１５）とに偏光回転子（３０）が間挿配置されていることを特徴とする請求項５に記載の装置。
【請求項７】  前記偏光選択的分割・再合成装置（１，１５）の反射方向（ＩＩ）にスペクトル選択的分割・再合成装置（１，１５）が後置されていることを特徴とする請求項１から６のいずれかに記載の装置。
【請求項８】  前記偏光選択的分割装置（１５）は入射面（１２）に対して好ましくは４５°傾斜した層システム（１７）を含むことを特徴とする請求項１から７のいずれかに記載の装置。
【請求項９】  前記偏光選択的分割・再合成装置（１，１５）の反射方向（ＩＩ）にはスペクトル選択的分割・再合成装置（５，１６）が後置されおよび／または前記偏光選択的分割・再合成装置（１，１５）の透過方向（Ｉ）にはさらに別なスペクトル選択的分割装置（２６）が後置され、前記偏光選択的分割・再合成装置（１，１５）はフラットな層システム（１７）を含み、前記スペクトル選択的分割・再合成装置（５，１６）ないし前記のさらに別なビームスプリッタ（２６）も同じくフラットな層システムを含み、これらの層システム（１７，１８，３２）は互いに平行であることを特徴とする請求項１ないし８のいずれか１項に記載の装置。
【請求項１０】  少なくとも一方の偏光の再合成光用に第一の出射面（４９）が設けられると共に他方の偏光の再合成光用に第二の出射面（１２）が設けられ、好ましくはこれらの第一および第二の出射面（４９，１２）の一方は入射面（１２）であることを特徴とする請求項１から９のいずれかに記載の装置。
【請求項１１】  前記分割・再合成装置（１５，１６）には各スペクトル選択的分割チャネルにそれぞれ反射で作動する１つの制御式光弁装置（２４，２５，４７）が後置されていることを特徴とする請求項１から１０のいずれかに記載の装置を備えたスペクトル選択的光変調装置。
【請求項１２】  前記入射面（１２）には白色光照明光源が前置されていることを特徴とする請求項１１に記載の光変調装置。
【請求項１３】  前記偏光選択的分割・再合成装置（１，１５）には収束光学系、好ましくはスペクトル選択的偏光回転子（５０）が後置されると共にさらに該回転子に後置して偏光選択的フィルタ素子（５２）が設けられていることを特徴とする請求項１１または１２に記載の光変調装置。
【請求項１４】  前記偏光選択的分割・再合成装置（１５）は断面が基本的に多角形、好ましくは方形、さらに好ましくは正方形で、少なくとも当該断面のほぼ対角線に位置する面に偏光選択的層システム（１７）を有することを特徴とする請求項１１から１３のいずれかに記載の光変調装置。
【請求項１５】  以下のように、すなわち
・光は少なくとも３つのスペクトル領域（Δλ1，Δλ2，Δλ3）に分割され、・少なくとも前記の３つのスペクトル領域の各々の光は、反射で作動し且つ制御に応じ反射された光の偏光を入射光を基準にして不変に保つかまたは９０°回転させる制御式光弁（３ａ，３ｂ，３ｃ）でそれぞれ変調され、
・少なくとも３つのスペクトル領域の前記反射光は再合成（Ａ，Ｂ）されるように構成されたスペクトル選択的光変調方法において、
前記スペクトル領域のうちの１つの領域（Δλ3）の光を偏光選択的分割（１）によって分離し、当該光弁（３ａ）での反射後にその他のスペクトル領域（Δλ1，Δλ2）の反射光と偏光選択的に再合成する（１，Ａ，Ｂ）ことを特徴とする方法。
【請求項１６】  少なくとも前記の３つのスペクトル領域を有した光（ＬW）は先にスペクトル選択的偏光回転子（１０）の処理に付されることを特徴とする請求項１５に記載の方法。
【請求項１７】  少なくとも前記の３つのスペクトル領域を有した前記の光（Ｌw）は偏光選択的分割（１）による第一の分割に付されることを特徴とする請求項１５または１６に記載の方法。
【請求項１８】  少なくとも前記の３つのスペクトル領域を有した前記光は白色光であり、偏光選択的分割によって分離された光と再合成された光とは緑色光（ΔλG）であることを特徴とする請求項１５から１７のいずれかに記載の方法。
【請求項１９】  さらに再度の分割と再合成とがスペクトル選択的（５）に行われることを特徴とする請求項１５から１８のいずれかに記載の方法。
【請求項２０】  前記光弁（３ａ〜３ｃ）に向かう光路と該光弁で反射された光の帰路とは偏光選択的再合成（１）に至るまでは同一であり、該合成に際してすべてのスペクトルの反射光は偏光選択的（Ａ，Ｂ）に分割されることを特徴とする請求項１５から１９
のいずれかに記載の方法。
【請求項２１】  前記偏光選択的分割（１）は４５°角ないし９０°光線転向（Ｉ，ＩＩ）を含むことを特徴とする請求項１５から２０のいずれかに記載の方法。
【請求項２２】  前記スペクトル選択的分割（５）は４５°角ないし９０°光線転向（ＩＩ，ＩＶ）を含むことを特徴とする請求項１９に記載の方法。
【請求項２３】  前記スペクトル領域のうちの少なくとも１つの、好ましくは偏光選択的分割によって分離されたスペクトル領域（Δλ3）の光は偏光選択的分割（１）と再合成（１５）との間にカラートリミング（２６）に付され、該トリミングに際して望ましくないスペクトル領域が消失させられる（３８，３６）ことを特徴とする請求項１５から２２のいずれかに記載の方法。
【請求項２４】  前記カラートリミング（２６）は偏光依存的なスペクトル選択的分離によって行われることを特徴とする請求項２３に記載の方法。
【請求項２５】  １つのスペクトル領域（Δλ3）の光のカラートリミング前に該光に一定の偏光変化（３０）を生じさせることを特徴とする請求項２３または２４に記載の方法。
【請求項２６】  予定されたスペクトル領域の光の再合成後に該光をスペクトル選択的偏光変化（５０）に付し、さらに続いて偏光選択的フィルタリング（５２）に付することを特徴とする請求項１５から２５のいずれかに記載の方法。
【請求項２７】  第一の分割から最後の再合成に至るまでの各スペクトル成分の光学的パス長を少なくともほぼ等しく設計することを特徴とする請求項１５から２６のいずれかに記載の方法。
【請求項２８】  白色光スペクトルのスペクトル選択面変調による画像投影への請求項１ないし１４のいずれか１項に記載の装置または請求項１５から２７のいずれかに記載の方法の各使用。
【請求項２９】  スペクトル光分割および再合成装置であって、
分割さるべき光の入射面と、
再合成された光（Ａ，Ｂ）の少なくとも１つの出射面（４９）と、
スペクトル選択的光分割システムとを備え、スペクトル選択的光分割システムは、偏光選択的分割システムを含み、第２および第３のスペクトル領域の合成されて残った光から第１のスペクトル領域の光を選択的に分離し、さらに、
前記第１のスペクトル領域の光を前記第２および第３のスペクトル領域の光と再合成する再合成システムを備え、
前記第１のスペクトル領域は緑光を含み、かつ前記第２および前記第３のスペクトル領域の間にスペクトル的に位置する、装置。
【請求項３０】  スペクトル光分割および再合成装置であって、
分割さるべき光の入射面と、
再合成された光（Ａ，Ｂ）の少なくとも１つの出射面（４９）とを備え、前記入射面であって、
スペクトル選択的光分割システムとを備え、スペクトル選択的光分割システムは、第２および第３のスペクトル領域の合成されて残った光から第１のスペクトル領域の光を選択的に分離し、さらに、
前記第１のスペクトル領域の光を前記第２および第３のスペクトル領域の光と再合成する再合成システムを備え、
前記第１のスペクトル領域は緑光を含み、かつ前記第２および前記第３のスペクトル領域の間にスペクトル的に位置する、装置。
【請求項３１】  スペクトル光分割および再合成装置であって、
分割さるべき光の入射面と、
再合成された光（Ａ，Ｂ）の少なくとも１つの出射面（４９）と、
スペクトル選択的光分割システムとを備え、スペクトル選択的分割システムは、第２および第３のスペクトル領域の合成されて残った光から第１のスペクトル領域の光を選択的
に分離し、さらに、
前記第１のスペクトル領域の光を前記第２および第３のスペクトル領域の光と再合成するための、前記スペクトル選択的光分割システムを含む再合成システムを備え、
前記第１のスペクトル領域は緑光を含み、かつ前記第２および前記第３のスペクトル領域の間にスペクトル的に位置する、装置。
【請求項３２】  スペクトル光分割および再合成装置であって、
分割さるべき光の入射面と、
再合成された光（Ａ，Ｂ）の少なくとも１つの出射面（４９）と、
スペクトル選択的光分割システムとを備え、スペクトル選択的光分割システムは、第２および第３のスペクトル領域の合成されて残った光から第１のスペクトル領域の光を選択的に分離し、さらに、
再合成システムを備え、再合成システムは、前記第１のスペクトル領域の光を前記第２および第３のスペクトル領域の光と再合成し、さらに、
少なくとも１つの制御された光弁装置を備え、光弁装置は反射で作動し、スペクトル選択的分割システムに後置され、
前記第１のスペクトル領域は緑光を含み、かつ前記第２および前記第３のスペクトル領域の間にスペクトル的に位置する、装置。
【請求項３３】  スペクトル光分割および再合成装置であって、
分割さるべき光の入射面と、
再合成された光（Ａ，Ｂ）の少なくとも１つの出射面（４９）と、
スペクトル選択的光分割システムとを備え、スペクトル選択的光分割システムは、第２および前記第３のスペクトル領域の合成されて残った光から第１のスペクトル領域の光を選択的に分離し、さらに、
再合成システムを備え、再合成システムは、前記第１のスペクトル領域の光を前記第２および前記第３のスペクトル領域の光と再合成し、さらに、
前記スペクトル選択的分割システムに後置されて、前記第１のスペクトル領域の前記光の経路において反射で作動する第１の制御された光弁装置と、前記スペクトル選択的分割システムに後置されて、前記第１のスペクトル領域の光の伝播路において反射で作動する第２の制御された光弁装置と、前記スペクトル選択的分割システムに後置されて、前記第３のスペクトル領域の光の伝播路において反射で作動する第３の制御された光弁装置とを備え、
前記第１のスペクトル領域は緑光を含み、かつ前記第２および前記第３のスペクトル領域の間にスペクトル的に位置する、装置。
【請求項３４】  光学的画像を生成するための方法であって、
第１に衝突光を緑スペクトル領域の光を含む第１のスペクトル領域の光および他の光に偏光選択的に分割するステップと、
前記第１の分割から結果として生じる前記他の光を第２のスペクトル領域の光および第３のスペクトル領域の光に分割するステップと、
制御された光弁によって前記第１、第２、および第３のスペクトル領域の前記光を選択的に変調するステップとを含む、方法。
【請求項３５】  光学的画像を生成するための方法であって、
第１に衝突光を緑スペクトル領域の光を含む第１のスペクトル領域の光および他の光に分割するステップと、
前記第１の分割から結果として生じる前記他の光を第２のスペクトル領域の光および第３のスペクトル領域の光に分割するステップと、
制御された光弁によって前記第１、第２、および第３のスペクトル領域の前記光を選択的に変調するステップとを含み、前記変調するステップは制御された光弁によってその活性化状態に依存して実行される、方法。